(57)【特許請求の範囲】
【請求項１】
引き戸の外側に該引き戸と連動して左右両開き式に開閉可能とした巻取式網戸であって、網戸枠の上下の横枠に沿ってスプリングを巻取用の駆動源とするネットを開閉自在とし、該ネットの開閉操作用の可動框の上下の摺動部材を網戸枠の上下の横枠にガイドさせながら上記ネットを開閉するようにした巻取式網戸において、
上記可動框に引き戸の縦枠に設けたラッチピースと係脱自在に係合してその係合により可動框を引き戸の移動に追随させるラッチを設け、そのラッチを可動框または引き戸の操作によりラッチピースに自動係合可能にすると共に、該ラッチに室内外のいずれの側からも操作できる操作部を設け、
上記可動框に設けたラッチを、該可動框の框材に沿って一定範囲内で上下に摺動自在に形成し、該ラッチの自重による下降位置を引き戸のラッチピースに係合可能な位置とした、
ことを特徴とする巻取式網戸。
【請求項２】
可動框のラッチと引き戸のラッチピースとは、引き戸と可動框との間に形成されたネットの非張設開口を閉じる方向に上記引き戸または可動框が移動するときにラッチピースがラッチを押し上げて相互に自動係合させるカム面を備えた、
ことを特徴とする請求項１に記載の巻取式網戸。
【請求項３】
ラッチを上動位置に係合保持する保持手段を設けた、
ことを特徴とする請求項１または２に記載の巻取式網戸。
【発明の詳細な説明】
【０００１】
【発明の属する技術分野】
本発明は、引き戸の外側に配置し、該引き戸と連動して左右両開き式に開閉可能とした巻取式網戸に関するものであり、更に具体的には、上記引き戸と巻取式網戸とを連動させあるいはその連動を解除するためのラッチ機構を備えた巻取式網戸に関するものである。
【０００２】
【従来の技術】
引き違い式に開閉する引き戸によって開かれる左右の開口部をそれぞれ遮蔽する巻取式網戸を設置する場合、図６のＡ，Ｂに示すように、引き戸における建物外側の開口枠の左右の縦枠に、引き戸の開閉操作に連動する巻取式網戸をそれぞれ設置することが考えられる。そして、これらの巻取式網戸においては、外側の引き戸に対する網戸の可動框の連動を、人の出入りのために必要に応じて解除できるようにすることが要求され、通常は室内側から上記可動框に設けたラッチを引き戸の縦枠に設けたラッチピースと係脱できるようにしている。
【０００３】
ところが、上記巻取式網戸において、上記ラッチを可動框または引き戸の操作により引き戸のラッチピースに自動係合可能にすると、室外側での誤った可動框または引き戸の操作により、該ラッチがラッチピースに係合してしまい、室外側からは網戸の開閉操作を行うことができなくなるという問題がある。
一方、上記ラッチは、簡単な構造で故障することがなく、引き戸または可動框の操作によりラッチピースに対して確実に自動係合すると共に、ラッチが自動係合しない位置にも容易に保持させ得ることが望まれる。
【０００４】
【発明が解決しようとする課題】
本発明が解決しようとする課題は、簡単な構造によって上記ラッチを室内外のいずれの側からも操作できるようにした巻取式網戸を提供することにある。
本発明の他の課題は、簡単な構造によって、引き戸または可動框の操作によりラッチがラッチピースに対して確実に自動係合するようにした巻取式網戸を提供することにある。
本発明の他の課題は、簡単な構造により、上記ラッチをラッチピースに対して自動係合しない位置に容易に保持できるようにした巻取式網戸を提供することにある。
【０００５】
【課題を解決するための手段】
上記課題を解決するため、本発明は、引き戸の外側に該引き戸と連動して左右両開き式に開閉可能とした巻取式網戸であって、網戸枠の上下の横枠に沿ってスプリングを巻取用の駆動源とするネットを開閉自在とし、該ネットの開閉操作用の可動框の上下の摺動部材を網戸枠の上下の横枠にガイドさせながら上記ネットを開閉するようにした巻取式網戸において、上記可動框に引き戸の縦枠に設けたラッチピースと係脱自在に係合してその係合により可動框を引き戸の移動に追随させるラッチを設け、そのラッチを可動框または引き戸の操作によりラッチピースに自動係合可能にすると共に、該ラッチに室内外のいずれの側からも操作できる操作部を設け、上記可動框に設けたラッチを、該可動框の框材に沿って一定範囲内で上下に摺動自在に形成し、該ラッチの自重による下降位置を引き戸のラッチピースに自動係合可能な位置としたことを特徴とするものである。
【０００６】
上記巻取式網戸のより具体的な構成においては、可動框のラッチと引き戸のラッチピースとは、引き戸と可動框との間に形成されたネットの非張設開口を閉じる方向に上記引き戸または可動框が移動するときに、ラッチピースがラッチを押し上げて相互に自動係合させるカム面を備えた構成とすることができ、また、ラッチを上動位置に係合保持する保持手段を設けて、そこで自動係合しないように保持可能とするのが適切である。
【０００７】
上記構成を有する巻取式網戸は、引き戸または可動框を、それらの間に形成されたネットの非張設開口を閉じる方向に移動させ、それにより引き戸の縦枠と可動框が重なると、可動框に設けたラッチが引き戸に設けたラッチピースに自動係合し、その後は、引き戸を移動させる際にその縦枠に係合した網戸が引き戸に追随して移動することになる。そのため、室外側において引き戸または可動框を操作することにより、可動框のラッチが引き戸のラッチピースに係合してしまうこともあるが、ラッチはその操作部によって室内外のいずれの側からもラッチピースに対する係脱操作をできるので、引き戸によって形成された開口部の網戸を室内及び室外側から自由に開閉することができる。
【０００８】
また、上記巻取式網戸における可動框に設けたラッチは、可動框の框材に沿って一定範囲内で上下に摺動自在に形成し、該ラッチがその自重による下降位置にある状態において、引き戸または可動框を、それらの間に形成されたネットの非張設開口を閉じる方向に移動させたときに、ラッチとラッチピースのカム面が相互に当接してラッチを押し上げたうえで、該ラッチがラッチピースの背後に係合するようにしているので、簡単な構造によってラッチをラッチピースに対して確実に自動係合させることができるばかりでなく、該ラッチを上動位置に係合保持させるだけの簡単な操作で、ラッチピースに対して自動係合しない状態に保持することもできる。
【０００９】
【発明の実施の形態】
以下、本発明の実施の形態を図面に基づいて詳細に説明するに、図１乃至図３は、本発明の巻取式網戸の一実施例を示しており、図中、２は略矩形状をなす網戸枠、４Ａ，４Ｂは該網戸枠２内に左右両開き式に開閉自在に取り付けられた防虫網からなるネット、６Ａ，６Ｂはそれぞれネット４Ａ，４Ｂの端部に取り付けられた開閉操作用の可動框である。
なお、上記左右のネット４Ａ，４Ｂに関連する構造は実質的に同一であるから、以下の説明においては、特に必要がなければネット４Ａに関する構造についてのみ説明し、ネット４Ｂについての説明は補助符号を読み替えるものとして、それらの説明を省略する。
【００１０】
上記ネット４Ａ，４Ｂは、図１及び図２に示すように、それらの一端をそれぞれ上記網戸枠２における左右の縦枠８，１０に取り付るとともに、他端をスプリング１６を巻取用の駆動源とする巻取軸１８Ａ，１８Ｂに固定しており、それらの巻取軸１８Ａ，１８Ｂを、それぞれ可動框６Ａ，６Ｂの框材２２Ａ，２２Ｂ内に回転自在に収容することにより、上記ネット４Ａ，４Ｂを繰り出し及び巻き取り可能に配設している。
【００１１】
上記網戸枠２は、図１及び図２からわかるように、左右の縦枠８，１０及び上下の横枠１２，１４により略矩形状に形成したもので、建物開口部にネジ止めあるいは接着テープ等の適宜手段により固定し得るようになっている。
【００１２】
上記可動框６Ａにおける框材２２Ａは、合成樹脂製又はアルミニウム等の金属製で一部に開口を有する筒状をなし、上記網戸枠２における上下の横枠１２，１４に沿って移動自在の上下の摺動部材２４Ａ，２６Ａを該框材２２Ａの上下端に連結し、該框材２２Ａ内において上記ネット４Ａを巻き付けた巻取軸１８Ａの上下端を上下の摺動部材２４Ａ，２６Ａに回転自在に保持させ、框材２２Ａの上記開口からネット４Ａを導出している。
【００１３】
上記摺動部材２４Ａ，２６Ａは、網戸枠２における上下の横枠１２，１４を摺動して上記可動框６Ａによるネット４Ａの開閉操作を円滑に行うことができるようにするためのもので、更に具体的には、上記可動框６Ａにおける框材２２Ａの上部に連結した摺動部材２４Ａは、上記框材２２Ａの上端に嵌着する本体３２ａに、上記網戸枠２における上部の横枠１２のガイドレール１２ａ上を転動する一対の転輪３４ａを備えた摺動部３６ａをねじ３８ａで取り付けることにより構成され、一方、上記框材２２Ａの下部に連結した摺動部材２６Ａは、上記下部の横枠１４の長手方向両側に立設したガイド壁１４ａにガイドさせるべく、上記框材２２Ａの下端に嵌着している。
【００１４】
上記網戸枠２における上部の横枠１２の中央には、それぞれの可動框６Ａ，６Ｂの移動範囲を上記横枠１２の中央部を若干越えた位置まで許容する左右に可動のストッパ３０を設けている。このストッパ３０は、図１及び図３に示すように、可動框の上部の摺動部材２４Ａ（２４Ｂ）が摺動する横枠１２内に取り付けるストッパ本体３０ａの両側面に、上記ネット４Ａの開閉方向に沿う長穴３０ｂを穿設すると共に、該長穴３０ｂに上記可動框の上部の摺動部材２４Ａ（２４Ｂ）における転輪３４ａが当接する可動部材（ピン）３０ｃを移動自在に遊嵌することにより形成したものである。
【００１５】
上記巻取式網戸においては、その可動框６Ａ，６Ｂに、図２及び図６のＡ，Ｂに示すように、外側の引き戸（障子）６０の縦枠６０Ａ，６０Ｂに設けたラッチピース４１Ａ，４１Ｂに係脱自在に係合して、その係合により可動框６Ａ，６Ｂを引き戸６０の移動に追随させるラッチ４２Ａ，４２Ｂを備えている。
このラッチ４２Ａ（４２Ｂ）は、図４及び図５に明確に示すように、上記可動框６Ａの框材２２Ａに沿って一定範囲内で上下に摺動自在に形成したラッチ本体４３Ａ（４３Ｂ）を備え、このラッチ本体４３Ａに、框材２２Ａを囲んで室内外のいずれの側にも位置することにより、室内外のいずれの側からも昇降操作できる操作部を形成させている。
【００１６】
また、このラッチ本体４３Ａには、ラッチ４２Ａを上動位置に保持する保持手段４４Ａを設けている。この保持手段４４Ａとしては、図１、図２及び図５に明瞭に示すように、框材２２Ａの長さ方向に沿って設けた取付溝２３Ａ内に、ねじ受け板４５Ａを嵌入し、このねじ受け板４５Ａとそれをカバーする固定板４６Ａとをねじ４９Ａで固定することにより、該固定板４６Ａを框材２２Ａに対して取付溝２３Ａに沿う上下方向に不動に固定し、一方、ラッチ本体４３Ａに上記固定板４６Ａを横切るように設けた当接部５０Ａを固定板４６Ａの上下部に形設したストッパ部４７Ａに当接させて、ラッチ本体４３Ａの上下移動範囲を制限すると共に、ラッチ本体４３Ａの当接部５０Ａ上に設けた弾片５１Ａを、ラッチ本体４３Ａの上動位置において、固定板４６Ａ内に突設した係合突部４８Ａに係合させるようにしている。
【００１７】
上記ラッチ４２Ａ，４２Ｂは、図７及び図８によって後述するように、ラッチ本体４３Ａ，４３Ｂの自重による下降位置を前記引き戸６０の縦枠６０Ａ，６０Ｂに設けたラッチピース４１Ａ，４１Ｂに自動係合可能な位置とし、一方、上記弾片５１Ａと係合突部４８Ａからなる保持手段４４Ａにより保持されるラッチ本体４３Ａの上動位置を、ラッチ４２Ａ，４２Ｂがラッチピース４１Ａ，４１Ｂに自動係合しない位置としている。
【００１８】
そして、上記ラッチ４２Ａまたは４２Ｂがラッチピース４１Ａまたは４１Ｂに係合していないとき、そのラッチをラッチピースに対して自動係合させるため、上記ラッチ本体４３Ａ，４３Ｂとラッチピース４１Ａ，４１Ｂには、引き戸６０と可動框６Ａ，６Ｂとの間に形成されたネットの非張設開口を閉じる方向に上記引き戸と可動框を相対移動させたときに、ラッチピース４１Ａ，４１Ｂがラッチ本体４３Ａ，４３Ｂを押し上げて相互に自動係合させるカム面５３ａ，５４ａを設けている。これらのカム面５３ａ，５４ａの当接により押し上げられたラッチ本体は、ラッチピースがそのラッチ本体の下を通過した後に該ラッチピースの背後に自重で降下し、そのラッチピースの背後に係合することになる。
【００１９】
また、上記框材２２Ａ，２２Ｂと引き戸６０の縦枠６０Ａ，６０Ｂとの間には隙間が存在し、その隙間部分からの虫の侵入を防止する必要があるため、框材２２Ａ，２２Ｂには、ブラシ、モヘアあるいは弾性薄片などからなる防虫シール５５（図２参照）を設けているが、ラッチ本体４３Ａ，４３Ｂが摺動する部分では該ラッチ本体４３Ａ，４３Ｂが框材２２Ａ，２２Ｂにおける防虫シールの部分を囲むことになるため、該防虫シールを設けることができなくなる。そのため、上記ラッチ本体４３Ａ，４３Ｂにおける防虫シール５５の延長線に近い位置には補助防虫シール５６を装着する装着溝５７を設けている。
なお、図中に示す符号２８は可動框６Ａ，６Ｂの衝突の勢いを緩和するための弾性緩衝材を示している。
【００２０】
上記構成を有する巻取式網戸は、引き戸６０または可動框６Ａ，６Ｂを、それらの間に形成されたネット４Ａ，４Ｂの非張設開口を閉じる方向に移動させ（図７のＡ）、それにより引き戸６０の縦枠６０Ａ，６０Ｂと可動框６Ａ，６Ｂが重なる状態になると、ラッチ本体４３Ａ，４３Ｂとラッチピース４１Ａ，４１Ｂとに設けたカム面５３ａ，５４ａの当接により、ラッチ本体が押し上げられ（図７のＢ）、更に移動が進行すると、該ラッチがラッチピースの背後に自重で落下し、ラッチ本体４３Ａ，４３Ｂがラッチピース４１Ａ，４１Ｂに自動係合することになる。
【００２１】
その後は、引き戸６０を移動させる際に、その縦枠６０Ａ，６０Ｂに係合した網戸が引き戸６０に引かれ、あるいは巻取軸１８Ａ，１８Ｂ内のスプリング１６によりネットが巻き取られながら、可動框６Ａ，６Ｂが引き戸６０に追随して移動することになる。例えば、図６のＡに示すように、可動框６Ｂ引き戸６０の縦枠６０Ｂに係合してネット４Ｂが張設された状態から、同図のＢに示すように引き戸６０を開くと、その縦枠６０Ａに係止した可動框６Ａを引き戸６０の移動に追随させることができ、また、その過程で、あるいは、図６のＢの状態にした後に、ラッチ本体４３Ａの上動によってラッチ４２Ａをラッチピース４１Ａから離脱させると、図６のＢの状態においてネット４Ａが可動框６Ａ内に巻き込まれる。
【００２２】
更に、上記ラッチ本体４３Ａ，４３Ｂは、その操作部によって室内外のいずれの側からもラッチピース４１Ａ，４１Ｂに対する係脱操作をできるので、室外側において引き戸または可動框を操作することにより、可動框のラッチが引き戸のラッチピースに係合しても、引き戸６０によって形成された開口部のネットを室内及び室外側から自由に開閉することができる。
【００２３】
また、上記巻取式網戸における可動框６Ａ，６Ｂに設けたラッチ本体４３Ａ，４３Ｂは、可動框の框材に沿って一定範囲内で上下に摺動自在に形成し、該ラッチ本体がその自重による下降位置にある状態において、引き戸６０または可動框６Ａ，６Ｂを、それらの間に形成されたネットの非張設開口を閉じる方向に移動させたときに、ラッチとラッチピースのカム面５３ａ，５４ａが相互に当接してラッチ本体を押し上げたうえで、該ラッチ本体がラッチピースの背後に係合するようにしているので、簡単な構造によってラッチをラッチピースに対して確実に自動係合させることができるばかりでなく、該ラッチを保持手段により上動位置に係合保持させるだけの簡単な操作で、ラッチピースに対して自動係合しない状態に保持することもできる。
【００２４】
なお、上述した実施例においては、本発明を、巻取軸１８Ａ，１８Ｂをそれぞれ可動框６Ａ，６Ｂの框材２２Ａ，２２Ｂ内に回転自在に保持した巻取式網戸に適用した場合について記載したが、それに限定されず、網戸枠における左右の縦枠８，１０にそれぞれ巻取軸を回転自在に保持させた巻取式網戸に適用することもできる。
【００２５】
【発明の効果】
以上に詳述した本発明によれば、引き戸の外側に該引き戸と連動して左右両開き式に開閉可能とし、しかもその連動のためのラッチをラッチピースに自動係合可能にした巻取式網戸において、簡単な構造によりラッチを室内外のいずれの側からも操作することが可能になり、また、ラッチがラッチピースに対してその自重で確実に自動係合し、それを自動係合しない位置にも容易に保持することができる。
【図面の簡単な説明】
【図１】本発明に係る巻取式網戸の部分破断正面図である。
【図２】同平断面図である。
【図３】同側断面図である。
【図４】上記実施例におけるラッチの構成を示す斜視図である。
【図５】ラッチを上動位置に保持する保持手段の正面図である。
【図６】Ａは右側の巻取式網戸のネットが完全な張設状態の場合、Ｂは左側のネットが完全な張設状態の場合を簡略的に説明する平面図である。
【図７】Ａ〜Ｃはラッチのラッチピースに対する係合の態様を説明するための要部拡大正面図である。
【図８】ラッチをラッチピースに対して自動係合しない位置に保持したときの状態を示す要部拡大正面図である。
【符号の説明】
２    網戸枠
４Ａ，４Ｂ  ネット
６Ａ，６Ｂ  可動框
８，１０    縦枠
１２，１４    横枠
１６    スプリング
１８Ａ，１８Ｂ  巻取軸
２４Ａ，２４Ｂ，２６Ａ，２６Ｂ  摺動部材
４１Ａ，４１Ｂ  ラッチピース
４２Ａ，４２Ｂ  ラッチ
５３ａ，５４ａ  カム面
４４Ａ  保持手段
６０    引き戸
６０Ａ，６０Ｂ  縦枠
【図１】
0003609717.tif 000002
【図２】
0003609717.tif 000003
【図３】
0003609717.tif 000004
【図４】
0003609717.tif 000005
【図５】
0003609717.tif 000006
【図６】
0003609717.tif 000007
【図７】
0003609717.tif 000008
【図８】
0003609717.tif 000009